(57)【要約】【課題】雰囲気中を浮遊する風船は既に周知のもので、別体の表示体を備えても格別斬新さはないものであり、更に、建物の外側に広告表示部を設けるものは、継続して用いるもので設置するのにも大がかりな作業と設備を必要とするものであり、短期間で終わるイベントスペース等の表示方法として不向きである。【解決手段】本発明は、各種展示場、催事場、イベントスペース等の建物の天井と、天井に配設した風船の移動を規制する規制手段と、雰囲気中に浮遊する風船とを用いて、天井の直下のスペースに規制手段で規制させて多数の風船を雰囲気中に浮遊させるものであり、規制手段は多数の風船を単数又は複数列、並びに、一段又は多段に規制するもので、風船には宣伝広告のための表示をすると共に紐材を延設させたものである。【選択図】  図１
2004361899.tif 000002
【特許請求の範囲】
【請求項１】
各種展示場、催事場、イベントスペース等の建物の天井と、該天井に予め配設した風船の移動を規制する規制手段と、雰囲気中に浮遊する多数の多色又は無色の風船とを用いて、前記天井の直下のスペースに前記規制手段で規制させて多数の風船を雰囲気中に浮遊させること特徴とする多数の風船を用いた天井への表示物造形方法。
【請求項２】
前記規制手段は多数の風船を単数列又は複数列、並びに、一段又は多段に規制することを特徴とする請求項１に記載の多数の風船を用いた天井への表示物造形方法。
【請求項３】
前記多数の風船には宣伝広告のための文字、図形、絵等を夫々表示すると共に、夫々の風船には手で把持したり低い位置に締結するための紐材を延設させたことを特徴とする請求項１又は請求項２に記載の多数の風船を用いた天井への表示物造形方法。
【発明の詳細な説明】
【０００１】
【発明の属する技術分野】
本発明は多数の風船を用いた天井への表示物造形方法に関するものであり、詳細には、多色又は無色の多数の風船を天井の直下スペースに規制手段で規制させることで意図のある表示物を造形する方法に関するものである。
【０００２】
【従来技術】
従来、この種の雰囲気中に浮遊する風船を宣伝広告などの媒体に用いることは広く周知であり、その為に風船に別体の表示体を備えた風船を利用した宣伝広告などの媒体（特許文献１参照）が開示されており、更に、建物の外側に広告表示部を備え、建物内の空間を広告表示部で表示された商品の情報を表示する表示手段を備えた給仕テーブルで仕切り、表示手段を開口部を介して外部空間と連通させた広告用建物（特許文献２参照）が開示されている。
【０００３】
【特許文献１】
特開２０００−１０５５６１号公報
【特許文献２】
特開２０００−３３６９６０号公報
【０００４】
【発明が解決しようとする課題】
然し乍ら、雰囲気中を浮遊する風船は子供等には人気があるものであるが、既に周知のもので、別体の表示体を備えても格別斬新さはないものであり、又、屋上看板を初め、看板やネオンサイン、電飾看板、造形した動物等で建物の外側に広告表示部を備えた建物は町中に氾濫しており、照明をさせたり、一部を可動させたりした特別の表示方法を施さない限り斬新さは無くなっており、広告表示部の文字によるキャッチコピーや、デザイン化されたキャラクター、有名タレントの写真を使って広告効果を向上させているのが現状である。
【０００５】
更に、建物の外側に広告表示部を設けるものは、継続して用いるもので設置するのにも大がかりな作業と設備を必要とするものであり、短期間で終わるイベントスペース等の表示方法として不向きである。
【０００６】
【課題を解決するための手段】
本発明の多数の風船を用いた天井への表示物造形方法は、各種展示場、催事場、イベントスペース等の建物の天井と、天井に予め配設した風船の移動を規制する規制手段と、雰囲気中に浮遊する多数の多色又は無色の風船とを用いて、天井の直下のスペースに規制手段で規制させて多数の風船を雰囲気中に浮遊させるものであり、更に、規制手段は多数の風船を単数列又は複数列、並びに、一段又は多段に規制するものであり、更には、多数の風船には宣伝広告のための文字、図形、絵等を表示すると共に、風船には手で把持したり低い位置に締結するための紐材を延設させものである。
【０００７】
【発明の作用】
本発明の多数の風船を用いた天井への表示物造形方法は、各種展示場、催事場、イベントスペース等の建物の天井に枠体、線状体等によって風船の移動を規制する規制手段を配設するものであるが、規制手段は多数の風船を雰囲気中に浮遊させたとき出来上がる配置、形状等を意図して配設するものであり、規制手段に多数の風船を規制させることによって文字や図柄の表示を平面的、立体的に造形するものである。
【０００８】
本発明の目的は、比較的廉価で短期間で終了する展示場、催事場、イベントスペース等において、建物内の空間、即ち、天井の直下のスペースを利用して効果的な広告宣伝をするためのに、多数の風船を用いた天井への表示物造形方法を提供するものである。
【０００９】
【発明の実施の形態】
次いで、本発明の多数の風船を用いた天井への表示物造形方法の実施の形態を図面を用いて詳しく説明する。
【００１０】
図１は本発明の多数の風船を用いた天井への表示物造形方法の実施の形態の概要を説明するための側面説明図であり、図２は本発明の多数の風船を用いた天井への表示物造形方法の実施の形態の概要を説明するための天井を下方から見た説明図である。
【００１１】
本発明は多数の風船を用いた天井への表示物造形方法に関するものであり、詳細には、多数の多色又は無色の風船２を天井１の直下のスペースに規制手段３に規制させることで意図のある表示物を造形する方法に関するもので、請求項１に記載の多数の風船を用いた天井への表示物造形方法は、各種展示場、催事場、イベントスペース等の建物の天井１と、該天井１に予め配設した風船２の移動を規制する規制手段３と、雰囲気中に浮遊する多数の多色又は無色の風船２とを用いて、前記天井１の直下のスペースに前記規制手段３で規制させて多数の風船２を雰囲気中に浮遊させるものである。
【００１２】
更に、請求項２に記載の多数の風船を用いた天井への表示物造形方法は、請求項１に記載の多数の風船を用いた天井への表示物造形方法において、前記規制手段３は多数の風船２を単数列又は複数列、並びに、一段又は多段に規制するものである。
【００１３】
更には、請求項３に記載の多数の風船を用いた天井への表示物造形方法は、請求項１又は請求項２に記載の多数の風船を用いた天井への表示物造形方法において、前記多数の風船２には宣伝広告のための文字、図形、絵等を夫々表示すると共に、夫々の風船２には手で把持したり低い位置に締結するための紐材２ａを延設させたものである。
【００１４】
即ち、本発明が実施される建物の天井１とは、既設の建築物でも、プレハブやテント等、常設でない建物でも構わないもので、各種展示場、催事場、イベントスペース等のように一定期間内に広告宣伝物などを表示、撤去するために使用される建物の天井１であり、その高さや広さは特に限定されないものである。
【００１５】
そして、規制手段３とは後述する雰囲気中に浮遊する多数の風船２の移動を規制するものであり、建物の天井１の直下に風船２の大きさの半分程度の間隔を有して配設するもので、強い力が加わらないことから細い棒状のものでも、針金や凧糸でも構わないもので、釘や画鋲、テープ等の固定具を用いて固定できるものである。
【００１６】
次に、風船２は多数を用いるもので、ヘリウム等の雰囲気より軽い気体を充填して雰囲気中に浮遊する如く、現状汎用されているもので良く、実施の形態では多数の赤、青、黄、緑等の多色のもの、又は、透明、半透明の無色の風船２を用いるものである。
【００１７】
そして、雰囲気中に浮遊している多数の風船２は、規制手段３によって規制されることによって、天井１の直下のスペースに表示物を造形させることを可能とするもので、本発明では宣伝広告を目的とした文字や図形等を表す配置を施すことで表示物の造形をするものである。
【００１８】
つまり、雰囲気より軽い風船２を雰囲気中に浮遊させることによって、風船２は上方に浮遊するものであり、浮遊した風船２は雰囲気中を上昇して天井１に接触するものであるが、規制手段３で規制されて所定の場所に留まるものであり、意図した多数の風船２の集合体の表示物が造形されるものである。
【００１９】
更に、規制手段３は多数の風船２を単数列に規制するように配設することによって線状の表示ができ、又、複数列に多数の風船２を規制するように配設することによって帯状、平面状の表示ができ、更には、多段に多数の風船２を規制するように配設することによって表示物を立体的に造形することを可能とするものである。
【００２０】
次いで、多数の風船２には個々に宣伝広告のための文字、図形、絵等を夫々表示すると共に、手で把持したり低い位置に締結するための紐材２ａを延設させたことによって、イベント等が終了する直前には子供達に天井１から降ろして販売促進、又は、広告宣伝用として手渡すことを可能とするものであり、天井１の高い場合でも一定の長さの紐材２ａを備えているために、下方から棒状部材等に絡ませて降ろすことを可能とするものである。
【００２１】
更に、本発明の実施例で開示された規制手段３の応用手段として、予め天井１の直下のスペースに設置されている広告手段、例えば、宣伝等を表示した横断幕、又は小旗を造形的に配設し、その間隙に存在する雰囲気中に多数の風船２を浮遊させることも本発明の範囲に属するものである。
【００２２】
【発明の効果】
本発明の多数の風船を用いた天井への表示物造形方法は、各種展示場、催事場、イベントスペース等の建物の天井に枠体、線状体等によって風船の移動を規制する規制手段を配設するものであるが、規制手段は多数の風船を雰囲気中に浮遊させたとき出来上がる配置、形状等を意図して配設するものであり、規制手段に多数の風船を規制させることによって文字や図柄の表示を平面的、立体的にするものであり、更には、表示物として使用した多数の風船を持ち帰らすことも可能する画期的な発明である。
【図面の簡単な説明】
【図１】図１は本発明の多数の風船を用いた天井への表示物造形方法の実施の形態の概要を説明するための側面説明図である。
【図２】図２は本発明の多数の風船を用いた天井への表示物造形方法の実施の形態の概要を説明するための天井を下方から見た説明図である。
【符号の説明】
１      天井
２      風船
２ａ    紐材
３      規制手段
【図１】
2004361899.tif 000003
【図２】
2004361899.tif 000004